【事件の表示】
　特願２０１５−１６５７１９号「遊技機」拒絶査定不服審判事件〔平成２９年３月２日出願公開、特開２０１７−４２２７９号〕について、次のとおり審決する。
【結　論】
　本件審判の請求は、成り立たない。
【理　由】
第１　手続の経緯の概要
　本願は、平成２７年８月２５日の出願であって、平成３０年１２月１３日に手続補正書が提出され、平成３１年２月２５日付けで拒絶の理由が通知され、同年４月２５日に意見書及び手続補正書が提出されたところ、令和１年８月５日付け（送達日：同年８月１３日）で、拒絶査定（以下「原査定」という。）がなされ、それに対して、同年１１月１１日に拒絶査定不服審判の請求がなされると同時に手続補正がなされたものである。
　
第２　令和１年１１月１１日にされた手続補正についての補正の却下の決定
［補正の却下の決定の結論］
　令和１年１１月１１日にされた手続補正（以下「本件補正」という。）を却下する。
　
［理由］
　１　補正の内容
　本件補正により、平成３１年４月２５日付け手続補正書の特許請求の範囲の請求項１〜２のうち、請求項１における
「【請求項１】
　識別情報の可変表示を行い、遊技者にとって有利な有利状態に制御可能な遊技機であって、
　可変表示を実行可能な可変表示手段と、
　可変表示に対応する特定表示を行う特定表示手段と
　を備え、
　前記特定表示は、未だ開始されていない可変表示に関する表示である保留表示と、現在実行されている可変表示に関する表示である対応表示とを含み、
　前記可変表示手段は、可変表示が開始されてから表示結果が導出表示されるまでに仮停止した後に再可変表示を所定回数実行する所定可変表示を実行可能であり、
　再可変表示の演出態様には、特定の組合せの識別情報を仮停止させた後に再可変表示を実行する第１態様と、特別表示を表示した後に再可変表示を実行する第２態様とが含まれ、
　前記第２態様の再可変表示において前記特別表示を表示する場合、識別情報の可変表示を通常態様よりも縮小させる縮小態様で表示し、
　前記特定表示は、遊技者にとって有利な有利状態に制御される期待度に応じて変化可能であり、当該変化のタイミングが前記所定可変表示の種類に応じて異なり、
　一の可変表示に対応する演出として、特殊表示を前記保留表示として表示した後、該特殊表示を前記対応表示として表示してから、該特殊表示の表示態様が変化することで前記有利状態に制御される期待度を示唆する演出を実行可能である、
　ことを特徴とする遊技機。」は、
審判請求時に提出された手続補正書（令和１年１１月１１日付け）の特許請求の範囲の請求項１における
「【請求項１】
　識別情報の可変表示を行い、遊技者にとって有利な有利状態に制御可能な遊技機であって、
　可変表示を実行可能な可変表示手段と、
　可変表示に対応する特定表示を行う特定表示手段と
、
を備え、
　前記特定表示は、未だ開始されていない可変表示に関する表示である保留表示と、現在実行されている可変表示に関する表示である対応表示と
、
　前記可変表示手段は、可変表示が開始されてから表示結果が導出表示されるまでに仮停止した後に再可変表示を所定回数実行する所定可変表示を実行可能であり、
　再可変表示の演出態
様は
、を
み
　前記第２態様の再可変表示において前記特別表示を表示する場合、識別情報の可変表示を通常態様よりも縮小させる縮小態様で表示し、
　前記特定表示は、
前記
　一の可変表示に対応する演出として、特殊表示を前記保留表示として表示した後、該特殊表示を前記対応表示として表示してから、該特殊表示の表示態様が変化することで前記有利状態に制御される期待度を示唆する演出を実行可能であ
り
　前記第２態様の再可変表示は、前記第１態様の再可変表示より前記有利状態に制御される期待度が高く、
　前記特定表示手段は、前記所定可変表示が実行されているときに前記特定表示の表示態様を変化させることが可能であり、
　前記第２態様の再可変表示が実行されているときは、前記第１態様の再可変表示が実行されているときより前記特定表示の表示態様が変化する割合が高い、
　ことを特徴とする遊技機。」に補正された（下線は、補正箇所を明示するために当審判合議体にて付した。）。
　
　２　補正の適否
　２−１　補正の目的及び新規事項について
　本件補正は、補正前の請求項１に記載した発明を特定するために必要な事項である「第２態様の再可変表示」に関して、「
前記第２態様の再可変表示は、前記第１態様の再可変表示より前記有利状態に制御される期待度が高く
特定表示手段
前記特定表示手段は、前記所定可変表示が実行されているときに前記特定表示の表示態様を変化させることが可能であり
特定表示の表示態様が変化する割合
前記第２態様の再可変表示が実行されているときは、前記第１態様の再可変表示が実行されているときより前記特定表示の表示態様が変化する割合が高い
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に掲げる「特許請求の範囲の減縮」を目的とする補正に該当する。
　また、本件補正の補正事項は、願書に最初に添付した明細書（以下「当初明細書」という。）の段落【０２４１】、【０２５４】、【０２５５】の記載、および、【図２７】、【図２８】の図示内容に基づくものであり、新規事項を追加するものではないから、特許法第１７条の２第３項に規定する要件を満たす。
　　　
　２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
　（１）本件補正発明
　本件補正発明は、次のとおりのものであると認める（記号Ａ〜Ｌは、分説するため当審判合議体にて付した。）。
「Ａ　識別情報の可変表示を行い、遊技者にとって有利な有利状態に制御可能な遊技機であって、
　Ｂ　可変表示を実行可能な可変表示手段と、
　Ｃ１　可変表示に対応する特定表示を行う特定表示手段と、
　を備え、
　Ｃ２　前記特定表示は、未だ開始されていない可変表示に関する表示である保留表示と、現在実行されている可変表示に関する表示である対応表示と、を含み、
　Ｄ　前記可変表示手段は、可変表示が開始されてから表示結果が導出表示されるまでに仮停止した後に再可変表示を所定回数実行する所定可変表示を実行可能であり、
　Ｅ　再可変表示の演出態様は、特定の組合せの識別情報を仮停止させた後に再可変表示を実行する第１態様と、特別表示を表示した後に再可変表示を実行する第２態様と、を含み、
　Ｆ　前記第２態様の再可変表示において前記特別表示を表示する場合、識別情報の可変表示を通常態様よりも縮小させる縮小態様で表示し、
　Ｇ　前記特定表示は、前記有利状態に制御される期待度に応じて変化可能であり、当該変化のタイミングが前記所定可変表示の種類に応じて異なり、
　Ｈ　一の可変表示に対応する演出として、特殊表示を前記保留表示として表示した後、該特殊表示を前記対応表示として表示してから、該特殊表示の表示態様が変化することで前記有利状態に制御される期待度を示唆する演出を実行可能であり、
　Ｉ　前記第２態様の再可変表示は、前記第１態様の再可変表示より前記有利状態に制御される期待度が高く、
　Ｊ　前記特定表示手段は、前記所定可変表示が実行されているときに前記特定表示の表示態様を変化させることが可能であり、
　Ｋ　前記第２態様の再可変表示が実行されているときは、前記第１態様の再可変表示が実行されているときより前記特定表示の表示態様が変化する割合が高い、
　Ｌ　ことを特徴とする遊技機。」
　
　（２）引用発明
　原査定の拒絶の理由に引用文献として引用された、本願の出願前に電気通信回線を通じて公衆に閲覧可能となった特開２０１５−７３６９３号公報（以下「引用文献２」という。）には、図面とともに以下の事項が記載されている（下線は当審判合議体にて付した。以下同じ。）。
　　　ア　記載事項
　　　（ア）「【００１０】
　そこで、本発明は、
特定画像を用いた演出の演出効果を向上させることができる遊技機を提供することを目的とする。
【課題を解決するための手段】
【００１１】
（手段１）本発明による遊技機は、各々を識別可能な複数種類の識別情報（例えば、第１特別図柄、第２特別図柄または演出図柄）を可変表示する可変表示手段（例えば、特別図柄表示器１８ａ，１８ｂ、
演出表示装置９
にあらかじめ定められた特定表示結果（
大当り図柄）が導出表示されたときに遊技者にとって有利な特定遊技状態（
大当り遊技状態）に制御する遊技機であって、
　そのような構成により、特定画像を用いた演出の演出効果を向上させることができる。」
　
　　　（イ）「【００２０】
　遊技領域７の中央付近には、液晶表示装置（ＬＣＤ）で構成された演出表示装置９が設けられている。演出表示装置９の表示画面には、第１特別図柄または第２特別図柄の可変表示に同期した演出図柄の可変表示を行う演出図柄表示領域がある。よって、
演出表示装置９は、演出図柄の可変表示を行う
演出制御用マイクロコンピュータが、
演出表示装置９で演出表示を実行させ
　
　　　（ウ）「【００４２】
　この実施の形態では、
合算保留記憶表示部１８ｃにおいて、未だ変動が行われていない保留記憶に対する保留表示が行われる
アクティブ保留表示は、
保留表示が変動開始以降にも同様の態様で保留表示の表示領域とは異なる所定の領域で演出表示として表示されるものである。
　
　　　（エ）「【００６７】
　演出制御基板８０は、
演出制御用ＣＰＵ１０
を含む演出制御用マイクロコンピュータ１００を搭載している。
演出制御用ＣＰＵ１０１は、
演出表示装置９の表示制御を行わせる。
　
　　　（オ）「【０１１３】・・・なお、
再変動とは、演出図柄の可変表示が開始されてから表示結果が導出表示されるまでに一旦はずれとなる演出図柄を仮停止させた後に演出図柄の可変表示を再度実行することである。
・・・
　【０１１８】
　なお、変動パターン種別とは、複数の変動パターンをその変動態様の特徴に従ってグループ化したものである。例えば、複数の変動パターンをリーチの種類でグループ化して、ノーマルリーチを伴う変動パターンを含む変動パターン種別と、スーパーリーチＡを伴う変動パターンを含む変動パターン種別と、スーパーリーチＢを伴う変動パターンを含む変動パターン種別とに分けてもよい。また、例えば、複数の変動パターンを擬似連の再変動の回数でグループ化して、擬似連を伴わない変動パターンを含む変動パターン種別と、
再変動１回
再変動２回
再変動３回
　
　　　（カ）「【０１５９】
　
図１１（Ａ），（Ｂ）は、ＲＯＭ５４に記憶されている当り変動パターン判定テーブル１３７Ａ〜１３７Ｂを示す説明図である。
変動パターン種別を
スーパーＣＡ３
３
のいずれかにする
・・・
【０１６１】
　
図１２は、ＲＯＭ５４に記憶されているはずれ変動パターン判定テーブル１３８Ａを示す説明図である。
　
　　　（キ）
　【図１１】：当り変動パターン判定テーブルを示す説明図である。
　
　
【図１２】はずれ変動パターン判定テーブルを示す説明図である。
　
　　　（ク）「【０１９０】
　この実施の形態では、決定された変動カテゴリコマンドにもとづいて予告演出が実行される。この実施の形態では、予告演出として、
予告対象となる変動表示が開始されるよりも前から複数の変動にわたって実行されるプレゼント演出を行う。プレゼント演出は、プレゼントボックス画像を表示するとともに、予告対象である変動表示中にプレゼントボックスを開封してプレゼントの中身の画像（
プレゼント画像
を表示する演出である。
　
　　　（ケ）「【０３４１】
　図３５は、予告演出決定処理を示すフローチャートである。
・・・
【０３４３】
　ステップＳ３５０４では、演出制御用ＣＰＵ１０１は、受信した変動カテゴリコマンドが特定の変動カテゴリコマンドであるか否かを判定する（ステップＳ３５０４）。ここで、
特定の変動カテゴリコマンドとは、変動種別がスーパーＣＡ２−７を示す
と、変動種別がスーパーＣＡ３−３を示す変動カテゴリコマンド
とである。
【０３４４】
　ステップＳ３５０４において、
特定の変動カテゴリである場合、演出制御用ＣＰＵ１０１は、
プレゼント演出を実行するか否かを決定するためのプレゼント演出実行判定を行う
。
　
　　　（コ）「【０３５０】
　図３８は、図３４に示された演出制御プロセス処理における演出図柄変動開始処理（ステップＳ８０１）を示すフローチャートである。演出図柄変動開始処理において、演出制御用ＣＰＵ１０１は、まず、変動パターンコマンド格納領域から変動パターンコマンドを読み出す（ステップＳ８００１）。次いで、演出制御用ＣＰＵ１０１は、ステップＳ８００２で読み出した変動パターンコマンド、および表示結果指定コマンド格納領域に格納されているデータ（すなわち、受信した表示結果指定コマンド）に応じて演出図柄の表示結果（停止図柄）を決定する（ステップＳ８００２）。すなわち、演出制御用ＣＰＵ１０１によってステップＳ８００２の処理が実行されることによって、可変表示パターン決定手段が決定した可変表示パターン（変動パターン）に応じて、識別情報の可変表示の表示結果（演出図柄の停止図柄）を決定する表示結果決定手段が実現される。なお、変動パターンコマンドで擬似連が指定されている場合には、
演出制御用ＣＰＵ１０１は、
擬似連中の仮停止図柄としてチャンス目図柄（
リーチとならないものの大当り図柄と１つ図柄がずれている図柄の組み合わせ
）も決定する。
　
　　　（サ）「【０３６４】
　図４１は、予告演出設定処理を示すフローチャートである。予告演出設定処理において、演出制御用ＣＰＵ１０１は、まず、プレゼント演出実行中フラグがセットされているか否かを判定し（ステップＳ４００１）、セットされていない場合、すなわち、プレゼント演出の実行中でない場合には、そのまま予告演出設定処理を終了する。セットされている場合、すなわち、プレゼント演出を実行中である場合には、演出制御用ＣＰＵ１０１は、始動入賞時コマンド格納領域の格納領域１のプレゼントデータＱの値が０でないか確認する（ステップＳ４００２）。始動入賞時コマンド格納領域の格納領域１のプレゼントデータがＱの値が０でない（すなわち本例では１である）場合には、これから開始される変動表示がプレゼント演出の予告対象の変動表示である。したがって、格納領域１のプレゼントデータがＱの値が０である（プレゼント演出の予告対象の変動表示ではない）場合には、そのまま予告演出設定処理を終了する。また、格納領域１のプレゼントデータがＱの値が０ではない（
プレゼント演出の予告対象の変動表示である
場合には、
【０３６５】
　次いで、
演出制御用ＣＰＵ１０１は、
プレゼント演出は、プレゼントボックス画像を表示するとともに、予告対象である変動表示中にプレゼントボックスを開封してプレゼントの中身の画像（以下、「プレゼント画像」）を表示する（プレゼントボックス画像からプレゼント画像に切り替える）。
表示されたプレゼント画像によって、
アクティブ保留予告演出
が実行される。
表示するプレゼント画像とともに、プレゼント画像によって実行する演出が予告演出種別として決定される。
【０３６６】
　擬似連予告演出は、
演出表示装置９に、擬似連演出（演出図柄の仮停止と再変動表示）が実行される（継続される）
演出表示装置９に、擬似連演出（演出図柄の仮停止と再変動表示）が実行される（継続される）
・・・
【０３６８】
　また、
アクティブ保留演出は、アクティブ保留表示の表示態様を通常態様から特別態様に変化させる演出であって、
プレゼント画像としてアクティブ保留演出が実行されることを示すアクティブ保留予告画像（
「変化」
）が表示されると、その後、アクティブ保留表示の表示態様が通常態様から特別態様に変化する。
信頼度が異なる複数種類の特別態様を設け、変動パターンに応じていずれの特別態様に変化するかを決定する
　
　　　（シ）「【０３７２】
　
次いで、演出制御用ＣＰＵ１０１は、決定した予告演出種別に応じて、予告演出実行タイミングを決定する（ステップＳ４００５）。具体的には、演出制御用ＣＰＵ１０１は、決定した予告演出種別に応じて、図４２（Ｂ）〜（Ｄ）に示す予告演出実行タイミング決定テーブルのいずれかを選択し、選択したテーブルと予告演出実行タイミング決定用の乱数とにもとづいて、予告演出実行タイミングを決定する。以下、図４３に示すタイミングチャートを参照して説明する。
【０３７３】
　決定した予告演出種別が擬似連予告である場合には、演出制御用ＣＰＵ１０１は、図４２（Ｂ）に示す予告演出実行タイミング決定テーブルを選択する。図４２（Ｂ）に示す予告演出実行タイミング決定テーブルには、変動パターンごとに決定事項（実行タイミング：「リーチ前（擬似連１回目）」、「リーチ前（擬似連２回目）」または「リーチ後」）に対応する判定値が割り当てられている。この
実行タイミング「リーチ前（擬似連１回目）」、「リーチ前（擬似連２回目）」および「リーチ後」は、図４３（Ａ），（Ｂ）に示すｔ１，ｔ２，ｔ３に相当する。
【０３７４】
　図４２（Ｂ）に示す予告演出実行タイミング決定テーブルにおいて特徴的なことは、擬似連予告演出は、リーチ成立前に実行され、擬似連３回を伴う変動パターンの場合には、リーチ前（擬似連１回：図４３（Ａ），（Ｂ）のｔ１に相当）よりもリーチ前（擬似連２回：図４３（Ａ），（Ｂ）のｔ２に相当）に実行される割合が高く、擬似連２回を伴う変動パターンの場合には、リーチ前（擬似連２回）に実行されないように判定値が設定されていることである。また、擬似連３回を伴う変動パターンであっても、表示結果が大当りである場合には、はずれである場合に比べて、リーチ前（擬似連２回：図４３（Ａ），（Ｂ）のｔ２に相当）に実行される割合が高くなるように判定値が設定されている。このような特徴を備えていることによって、擬似連予告演出が実行されることで、確実に擬似連が継続すること示すことができるとともに、擬似連１回目よりも擬似連２回目に実行される方が大当りとなる期待度を高くすることができる。すなわち、擬似連予告演出が実行されるタイミングによって、擬似連が継続する回数と大当りとなる期待度を異ならせることができる。」
　
　　　（ス）
　【図４３】：予告演出の実行タイミングを示すタイミングチャートである。
（セ）「【０３７７】
　また、
決定した予告演出種別がアクティブ保留予告である場合には、演出制御用ＣＰＵ１０１は、
（Ｄ）に示す予告演出実行タイミング決定テーブルを選択する。図４２（Ｄ）に示す予告演出実行タイミング決定テーブルには、変動パターンごとに決定事項（実行タイミング：「リーチ前」または「リーチ後」）に対応する判定値が割り当てられている。この実行タイミング「リーチ後（リーチ発展前）」および「リーチ後（リーチ発展後）」は、図４３（Ｃ）に示すｔ５，ｔ６に相当する。
　
　　　（ソ）
【図４２】：予告演出種別決定テーブルおよび予告演出実行タイミング決定テーブルを示す説明図である。
　
　　　（タ）「【０３７９】
　図４２（Ｄ）に示す予告演出実行、タイミング決定テーブルにおいて特徴的なことは、表示結果がはずれよりも大当りである方が、また、
同じ表示結果であっても変動パターンの期待度が高くなるほど、リーチ後（リーチ発展後）と判定される割合が高くなるように判定値が設定されていることである。このような特徴を備えていることによって、実行タイミングがリーチ後（リーチ発展前）よりもリーチ後（リーチ発展後）である方が、予告対象の変動表示において大当りが発生する割合を高くすることができる。
アクティブ保留予告は、ｔ５またはｔ６のタイミングに決定されるように構成されているが、図４３（Ａ），（Ｂ）に示すｔ１〜ｔ３のタイミングに決定されるようにしてもよい。ただし、この場合にも、
大当り期待度が高いほど、遅いタイミングに決定される割合を高くすることが望ましい。
・・・
【０３８１】
　この実施の形態では、
予告演出種別として、
アクティブ保留予告が設けられ、
実行されることによって有利になる
大当りとなること
を予告するものである。
・・・
【０３８８】
　図４５は、予告演出中処理を示すフローチャートである。予告演出中処理において、
演出制御用ＣＰＵ１０１は、
アクティブ保留表示を
表示する。
　
　　　（チ）「【０３９５】
　次に、この実施の形態の演出表示装置９における表示例について説明する。図４７〜図５１は、プレゼント演出実行時の表示例を示す説明図である。各表示例は、タイミング毎の表示装置９における表示例について示している。
【０３９６】
　まず、変動中のタイミング（図４７（ａ１））にて、始動入賞が発生し、新たに保留表示５１１が表示される（図４７（ａ２））。このとき、内部的には、保留表示５１１の保留記憶を予告対象としたプレゼント演出の実行が決定される。そして、プレゼントボックス画像５１４が表示される。
【０３９７】
　次いで、変動が停止し（図４７（ａ３））、新たな変動が開始される（図４７（ａ４））。このとき、各保留表示がずらされて表示される。さらに、変動が停止すると（図４７（ａ５））、プレゼント演出の予告対象の保留記憶に対する保留表示５１１がステージ５１２上にずらされ、プレゼント演出の予告対象の変動が開始される（図４７（ａ６））。なお、図４７に示す例では、
プレゼントボックス画像５１４は、常に予告対象の保留表示の真上に表示されている
・・・
【０４０１】
　また、図５１は、図４７（ａ６）に続き、アクティブ保留予告が実行される例を示している。図５１に示す例では、プレゼント演出の予告対象の変動が開始され、リーチが成立した後に、スーパーリーチに発展すると（図５１（ｂ１））、プレゼントボックス画像がアクティブ保留予告画像（「変化」）に切り替えられ（図５１（ｂ２））、アクティブ保留表示５３１の表示態様が通常態様から特別態様（斜線を含む）に変化するアクティブ保留予告が行われる（図５０（ｂ３））。その後、最終停止図柄が導出表示される。なお、図５１（ｂ２）のタイミングは、図４３（Ｄ）のｔ６のタイミングに相当する。
・・・
【０４０３】
　また、この実施の形態では、最大１個のプレゼント画像が表示され、予告対象の変動表示に対してプレゼント演出を１対１で行うように構成されているが、
１つの予告対象の変動表示に対して複数のプレゼント演出を実行可能とするようにしてもよい。
【０４０４】
　ただし、
プレゼント画像を複数表示する場合には、同じ予告演出を実行すると整合性がとれなくなる虞がある。例えば、擬似連２回の変動パターンで擬似連予告が２回行われることになると、擬似連が３回まで継続すると勘違させてしまうことになる。
アクティブ保留予告が２回行われる
擬似連３回の変動パターンの場合やアクティブ保留表示の表示態様が２段階変化しても整合性がとれるような期待度が高い場合にのみ複数のプレゼント演出を実行可能とすることが望ましい。
　
　　　イ　認定事項
　　　（ア）引用文献２には、プレゼント演出の実行の有無について、次の記載がある。
　・「特定の変動カテゴリコマンドとは、変動種別がスーパーＣＡ２−７を示す・・・と、変動種別がスーパーＣＡ３−３を示す変動カテゴリコマンド・・・とである。」（【０３４３】）
　・「特定の変動カテゴリである場合、演出制御用ＣＰＵ１０１は、・・・プレゼント演出を実行するか否かを決定するためのプレゼント演出実行判定を行う・・・」（【０３４４】）
　・【図１１】（Ａ）に、変動パターン種別の「スーパーＣＡ３−３」に、「スーパーＰＡ３−３」、「スーパーＰＡ３−４」の変動パターンが含まれることが図示され、また、【図１２】に、変動パターン種別の「スーパーＣＡ２−７」に、「スーパーＰＡ３−１」、「スーパーＰＡ３−２」の変動パターンが含まれることが図示されている。
　上記記載から、引用文献２には、「スーパーＣＡ３−３の変動パターン種別のうち、スーパーＰＡ３−１、スーパーＰＡ３−２の変動パターン、および、スーパーＣＡ２−７の変動パターン種別のうち、スーパーＰＡ３−１、スーパーＰＡ３−２の変動パターンは、プレゼント演出を実行する場合と実行しない場合のある」ことが示されていると認められる。
　
　また、引用文献２には、スーパーＰＡ３−１、スーパーＰＡ３−２の変動パターンについて、次の記載がある。
　・【図４２】に、スーパーＰＡ３−１の変動パターンの演出内容は、擬似連２回スーパーリーチＡはずれであり、スーパーＰＡ３−２の変動パターンの演出内容は、擬似連３回スーパーリーチＡはずれであり、スーパーＰＡ３−３の変動パターンの演出内容は、擬似連２回スーパーリーチＡ大当りであり、スーパーＰＡ３−４の変動パターンの演出内容は、擬似連３回スーパーリーチＡ大当りであることが図示されている。
　・「・・・擬似連演出（演出図柄の仮停止と再変動表示）が実行される・・・」（【０３６６】）
　上記記載から、引用文献２には、スーパーＰＡ３−１〜スーパーＰＡ３−４が、演出図柄の仮停止と再変動表示が行われる擬似連演出を伴う変動パターンであることが示されていると認められる。
　
　したがって、引用文献２には、「
変動パターンに、プレゼント演出を実行しない、演出図柄の仮停止と再変動表示が行われる擬似連演出を伴う変動パターンと、プレゼント演出を実行する、演出図柄の仮停止と再変動表示が行われる擬似連演出を伴う変動パターンがある
　
　　　（イ）引用文献２には、予告演出の実行タイミングについて、次の記載がある。
　・「次いで、演出制御用ＣＰＵ１０１は、決定した予告演出種別に応じて、予告演出実行タイミングを決定する（ステップＳ４００５）。具体的には、演出制御用ＣＰＵ１０１は、決定した予告演出種別に応じて、図４２（Ｂ）〜（Ｄ）に示す予告演出実行タイミング決定テーブルのいずれかを選択し、選択したテーブルと予告演出実行タイミング決定用の乱数とにもとづいて、予告演出実行タイミングを決定する。以下、図４３に示すタイミングチャートを参照して説明する。」（【０３７２】）
　・「実行タイミング「リーチ前（擬似連１回目）」、「リーチ前（擬似連２回目）」および「リーチ後」は、図４３（Ａ）、（Ｂ）に示すｔ１，ｔ２，ｔ３に相当する。」（【０３７３】）
　・「アクティブ保留予告は、ｔ５またはｔ６のタイミングに決定されるように構成されているが、図４３（Ａ）、（Ｂ）に示すｔ１〜ｔ３のタイミングに決定されるようにしてもよい。」（【０３７９】）
　そして、予告演出の実行タイミングを示すタイミングチャートである【図４３】（Ａ）、（Ｂ）に、次の事項が図示されている。
　・擬似連１回目と２回目の間に「リーチ前（擬似連１回目）ｔ１」が設定されていること。
　・擬似連２回目とリーチ成立の間、もしくは、擬似連２回目と３回目とに「リーチ前（擬似連２回目）ｔ２」が設定されるていること。
　・リーチ成立と変動停止の間に「リーチ後ｔ３」が設定されていること。
　したがって、引用文献２には、「
アクティブ保留予告演出の実行タイミングは、擬似連１回目と２回目の間に設定された「リーチ前（擬似連１回目）ｔ１」、擬似連２回目とリーチ成立の間、もしくは、擬似連２回目と３回目の間に設定された「リーチ前（擬似連２回目）ｔ２」、リーチ成立と変動停止の間に設定された「リーチ後ｔ３」に決定される
　
　　　（ウ）引用文献２には、予告演出の実行タイミングと、擬似連の種類との関係について次の記載がある。
　・「決定した予告演出種別がアクティブ保留予告である場合には、演出制御用ＣＰＵ１０１は、図４２（Ｄ）に示す予告演出実行タイミング決定テーブルを選択する。図４２（Ｄ）に示す予告演出実行タイミング決定テーブルには、変動パターンごとに決定事項（実行タイミング：「リーチ前」または「リーチ後」）に対応する判定値が割り当てられている。この実行タイミング「リーチ後（リーチ発展前）」および「リーチ後（リーチ発展後）」は、図４３（Ｃ）に示すｔ５，ｔ６に相当する。」（【０３７７】）
　・「同じ表示結果であっても変動パターンの期待度が高くなるほど、リーチ後（リーチ発展後）と判定される割合が高くなるように判定値が設定されていることである。このような特徴を備えていることによって、実行タイミングがリーチ後（リーチ発展前）よりもリーチ後（リーチ発展後）である方が、予告対象の変動表示において大当りが発生する割合を高くすることができる。」（【０３７９】）
　そして、予告演出実行タイミング決定テーブルを示す説明図である【図４２】（Ｄ）に、アクティブ保留予告演出の実行タイミングについて、次の事項が図示されている。
　・「擬似連２回スーパーリーチＡはずれ（スーパーＰＡ３−１）」の場合、リーチ後（リーチ発展前）ｔ５に５０、リーチ後（リーチ発展後）ｔ６に５０の判定値が割り当てられていること。
　・「擬似連３回スーパーリーチＢはずれ（スーパーＰＡ３−２）」の場合、リーチ後（リーチ発展前）ｔ５に４０、リーチ後（リーチ発展後）ｔ６に６０の判定値が割り当てられていること。
　・「擬似連２回スーパーリーチＡ大当り（スーパーＰＡ３−３）」の場合、リーチ後（リーチ発展前）ｔ５に２０、リーチ後（リーチ発展後）ｔ６に８０の判定値が割り当てられていること。
　・「擬似連３回スーパーリーチＢ大当り（スーパーＰＡ３−４）」の場合、リーチ後（リーチ発展前）ｔ５に１０、リーチ後（リーチ発展後）ｔ６に９０の判定値が割り当てられていること。
　すなわち、【図４２】（Ｄ）には、アクティブ保留予告演出を実行するタイミングについて、表示結果が「はずれ」、「大当り」のいずれの場合にも、「擬似連２回スーパーリーチＡ」よりも「擬似連３回スーパーリーチＢ」の方が、リーチ後（リーチ発展前）よりも遅いタイミングで実行されるリーチ後（リーチ発展後）の実行割合が高いことが図示されている。
　また、予告演出の実行タイミングを示すタイミングチャートである【図４３】（Ｃ）には、アクティブ保留予告演出が、リーチ後（リーチ発展前）ｔ５と、リーチ後（リーチ発展後）ｔ６に実行されることが図示されている。
　
　一方、引用文献２には、【０３７９】に「アクティブ保留予告は、ｔ５またはｔ６のタイミングに決定されるように構成されているが、図４３（Ａ），（Ｂ）に示すｔ１〜ｔ３のタイミングに決定されるようにしてもよい。ただし、この場合にも、・・・大当り期待度が高いほど、遅いタイミングに決定される割合を高くすることが望ましい。」ことが記載されている。
　そこで、「擬似連３回スーパーリーチＢ」の「大当り期待度」と、「擬似連２回スーパーリーチＡ」の「大当り期待度」の高低について検討する。
　引用文献２には、擬似連を伴うスーパーリーチの変動パターンについて、【０１５９】に「図１１（Ａ），（Ｂ）は、ＲＯＭ５４に記憶されている当り変動パターン判定テーブル１３７Ａ〜１３７Ｂを示す説明図である。・・・変動パターン種別を・・・スーパーＣＡ３−３・・・のいずれかにする・・・」ことが記載され、【０１６１】に「図１２は、ＲＯＭ５４に記憶されているはずれ変動パターン判定テーブル１３８Ａを示す説明図である。」ことが記載されている。
　そして、【図１１】（Ａ）に示される当り変動パターン判定テーブルには、「擬似連２回スーパーリーチＡ大当り（スーパーＰＡ３−３）」に１〜２６８の２６８個の判定値が割り振られ、「擬似連３回スーパーリーチＢ大当り（スーパーＰＡ３−４）」に２６９〜６６０の３９１個の判定値が割り振られていることが図示されている。
　また、【図１２】に示されるはずれ変動パターン判定テーブルには、「擬似連２回スーパーリーチＡはずれ（スーパーＰＡ３−１）」に１〜２６８の２６８個の判定値が割り振られ、「擬似連３回スーパーリーチＢはずれ（スーパーＰＡ３−２）」に２６９〜５６０の２９１個の判定値が割り振られていることが図示されている。
　ここで、「大当り期待度」は、大当り判定値の個数／（大当り判定値の個数＋はずれ判定値の個数）により算出されることから、
　「擬似連３回スーパーリーチＢ」の「大当り期待度」は、（スーパーＰＡ３−４）／（（スーパーＰＡ３−４）＋（スーパーＰＡ３−２））＝３９１個／（３９１個＋２９１個）＝５７．３％となり、
　「擬似連２回スーパーリーチＡ」の「大当り期待度」は、（スーパーＰＡ３−３）／（（スーパーＰＡ３−３）＋（スーパーＰＡ３−１））＝２６８個／（２６８個＋２６８個）＝５０％となる。
　したがって、「擬似連３回スーパーリーチＢ」の「大当り期待度」は、「擬似連２回スーパーリーチＡ」の「大当り期待度」より高いと認められる。
　
　これらのことからみて、引用文献２には、「
アクティブ保留予告の実行タイミングは、ｔ１〜ｔ３に決定されるように構成され、大当り期待の高い「擬似連３回スーパーリーチＢ」の変動パターンは、大当り期待度の低い「擬似連２回スーパーリーチＡ」の変動パターンよりも、遅いタイミング（ｔ３）に決定される割合が高い
　
　　　ウ　引用発明
　上記アの記載事項および上記イの認定事項を総合すると、引用文献２には、次の発明（以下「引用発明」という。）が記載されていると認められる（ａ〜ｌは、本件補正発明のＡ〜Ｌに対応させて付与した。）。
「ｂ　演出図柄の可変表示を演出表示装置９で実行させる演出制御用マイクロコンピュータに含まれる演出制御用ＣＰＵ１０１（【００２０】、【００６７】）を備え、
　ａ　演出表示装置９にあらかじめ定められた特定表示結果（大当り図柄）が導出表示されたときに遊技者にとって有利な特定遊技状態（大当り遊技状態）に制御する遊技機であって（【００１１】）、
　ｃ１、ｃ２　演出制御用ＣＰＵ１０１は、合算保留記憶表示部１８ｃにおいて、未だ変動が行われていない保留記憶に対する保留表示を表示するとともに、保留表示が変動開始以降にも同様の態様で保留表示の表示領域とは異なる所定の領域において、演出表示として表示されるアクティブ保留表示を表示し（【００４２】、【０３８８】）、
　ｄ　演出制御用ＣＰＵ１０１は、演出表示装置９に、擬似連演出（演出図柄の仮停止と再変動表示）の表示制御を行わせ（【００６７】、【０３６６】）、
　再変動とは、演出図柄の可変表示が開始されてから表示結果が導出表示されるまでに一旦はずれとなる演出図柄を仮停止させた後に演出図柄の可変表示を３回まで再度実行することが可能であり（【０１１３】、【０１１８】）、
　ｅ、ｈ、ｊ、ｋ　変動パターンに、プレゼント演出を実行しない、演出図柄の仮停止と再変動表示が行われる擬似連演出を伴う変動パターンと、プレゼント演出を実行する、演出図柄の仮停止と再変動表示が行われる擬似連演出を伴う変動パターンがあり（認定事項（ア））、
　プレゼント演出は、予告対象となる変動表示が開始されるよりも前から複数の変動にわたって、プレゼントボックス画像５１４を常に予告対象の保留表示の真上に表示することで実行され、予告対象である変動表示中にプレゼントボックスを開封してプレゼントの中身の画像を表示する演出であり（【０１９０】、【０３９７】）、
　プレゼント画像として、アクティブ保留予告画像（「変化」）が表示されると、その後、アクティブ保留表示の表示態様が通常態様から特別態様に変化する、アクティブ保留予告演出が実行され（【０３６５】、【０３６８】）、
　擬似連中の仮停止図柄として、チャンス目図柄（リーチとならないものの大当り図柄と１つ図柄がずれている図柄の組み合わせ）が決定され（【０３５０】）、
　アクティブ保留予告演出の実行タイミングは、擬似連１回目と２回目の間に設定された「リーチ前（擬似連１回目）ｔ１」、擬似連２回目とリーチ成立の間、もしくは、擬似連２回目と３回目の間に設定された「リーチ前（擬似連２回目）ｔ２」、リーチ成立と変動停止の間に設定された「リーチ後ｔ３」に決定され（認定事項（イ））
　ｆ’擬似連３回の変動パターンの場合やアクティブ保留表示の表示態様が２段階変化しても整合性がとれるような期待度が高い場合にのみ、１つの予告対象の変動表示に対して複数のプレゼント演出を実行可能とし（【０４０３】、【０４０４】）、
　ｇ　アクティブ保留予告演出における特別態様には、信頼度の異なる複数種類の特別態様が設けられ、変動パターンに応じていずれの特別態様に変化するかが決定され（【０３６５】、【０３６８】）、
　アクティブ保留予告の実行タイミングは、ｔ１〜ｔ３に決定されるように構成され、大当り期待の高い「擬似連３回スーパーリーチＢ」の変動パターンは、大当り期待度の低い「擬似連２回スーパーリーチＡ」の変動パターンよりも、遅いタイミング（ｔ３）に決定される割合が高く（認定事項（ウ））、
　ｉ　大当りとなることを予告するアクティブ保留予告演出は、実行されることによって有利になる（【０３６５】、【０３８１】）、
　ｌ　遊技機。」
　
　（３）対比
　本件補正発明と引用発明とを、分説に従い対比する。
　　（ｂ）
　引用発明の構成ｂの「演出図柄の可変表示を演出表示装置９で実行させる」「演出制御用ＣＰＵ１０１」は、本件補正発明の構成Ｂの「可変表示を実行可能な可変表示手段」としての機能を有する。
　
　　（ａ）（ｌ）
　引用発明の構成ａの「演出表示装置９」は、構成ｂより、「演出図柄の可変表示を」「実行」するものであるから、本件補正発明の構成Ａの「識別情報の可変表示を行」うものである。
　そして、引用発明の構成ａの「遊技者にとって有利な特定遊技状態（大当り遊技状態）に制御する」ことは、本件補正発明の構成Ａの「遊技者にとって有利な有利状態に制御可能な」ことに相当する。
　また、引用発明の構成ａ、ｌの「遊技機」は、本件補正発明の構成Ａ、Ｌの「遊技機」に相当する。
　したがって、引用発明の構成ａ、ｌは、それぞれ、本件補正発明の構成Ａ、Ｌに相当する。
　
　　（ｃ１、ｃ２）
　まず、引用発明の構成ｃ１、ｃ２の「合算保留記憶表示部１８ｃにおいて、未だ変動が行われていない保留記憶に対する保留表示」は、本件補正発明の構成Ｃ２の「未だ開始されていない可変表示に関する表示である保留表示」に相当し、引用発明の構成ｃ１、ｃ２の「変動開始以降にも同様の態様で保留表示の表示領域とは異なる所定の領域において、演出表示として表示されるアクティブ保留表示」は、本件補正発明の構成Ｃ２の「現在実行されている可変表示に関する表示である対応表示」に相当する。
　そうすると、引用発明の構成ｃ１、ｃ２の「保留表示」と「対応表示」とを合わせた表示は、本件補正発明の構成Ｃ２の「保留表示と、」「対応表示と、を含」む「特定表示」に相当し、引用発明の構成ｃ１、ｃ２の「変動開始以降にも同様の態様で保留表示の表示領域とは異なる所定の領域において、演出表示として表示されるアクティブ保留表示」は、本件補正発明の構成Ｃ１の「可変表示に対応する特定表示」にも相当する。
　そして、引用発明の構成ｃ１、ｃ２の「保留表示を表示するとともに、」「アクティブ保留表示を表示」する「演出制御用ＣＰＵ１０１」は、本件補正発明の構成Ｃ１の「特定表示を行う特定表示手段」に相当する。
　したがって、引用発明の構成ｃ１、ｃ２は、本件補正発明の構成Ｃ１、Ｃ２に相当する。
　
　　（ｄ）
　引用発明の構成ｄの「演出図柄の可変表示が開始されてから表示結果が導出表示されるまで」は、本件補正発明の構成Ｄの「可変表示が開始されてから表示結果が導出表示されるまで」に相当する。
　そして、引用発明の構成ｄの「演出図柄の仮停止」、「再変動表示」は、「仮停止」した後に「再変動表示」が開始されることが当業者における技術常識であることからみて、それぞれ、本件補正発明の構成Ｄの「仮停止」、「仮停止した後に」「実行」される「再可変表示」に相当する。
　また、引用発明において、「擬似連演出」の「再変動表示」は、「３回まで再度実行することが可能であ」る。
　そうすると、引用発明の構成ｄの「擬似連演出（演出図柄の仮停止と再変動表示）」は、「再変動」を「３回まで再度実行することが可能であ」ことから、本件補正発明の構成Ｄの「仮停止した後に再可変表示を所定回数実行する所定可変表示」に相当する。
　したがって、引用発明の構成ｄの「演出表示装置９に、擬似連演出（演出図柄の仮停止と再変動表示）の表示制御を行わせ」る「演出制御用ＣＰＵ１０１」は、本件補正発明の構成Ｄの「可変表示が開始されてから表示結果が導出表示されるまでに仮停止した後に再可変表示を所定回数実行する所定可変表示を実行可能であ」る「可変表示手段」としての機能を有する。
　
　　（ｅ）
　引用発明における構成ｅ、ｈ、ｊ、ｋの「プレゼント演出を実行しない、演出図柄の仮停止と再変動表示が行われる擬似連演出を伴う変動パターン」は、「仮停止図柄として」「決定され」た「チャンス目図柄（リーチとならないものの大当り図柄と１つ図柄がずれている図柄の組み合わせ）」を「擬似連中」に表示するものである。
　そして、引用発明における構成ｅ、ｈ、ｊ、ｋの「チャンス目図柄（リーチとならないものの大当り図柄と１つ図柄がずれている図柄の組み合わせ）」は、本件補正発明の構成Ｅの「特定の組合せの識別情報」に相当する。
　そうすると、引用発明における構成ｅ、ｈ、ｊ、ｋの「プレゼント演出を実行しない、演出図柄の仮停止と再変動表示が行われる擬似連演出を伴う変動パターン」は、本件補正発明の構成Ｅの「特定の組合せの識別情報を仮停止させた後に再可変表示を実行する第１態様」に相当する。
　
　一方、引用発明における構成ｅ、ｈ、ｊ、ｋの「プレゼント演出を実行する、演出図柄の仮停止と再変動表示が行われる擬似連演出を伴う変動パターン」は、「プレゼント演出を実行しない、演出図柄の仮停止と再変動表示が行われる擬似連演出を伴う変動パターン」と同様に、「仮停止図柄として」「決定され」た「チャンス目図柄」が「擬似連中」に表示されることに加えて、「プレゼント演出」において、「プレゼント画像として、アクティブ保留予告画像（「変化」）が表示され」た「後」、「アクティブ保留表示の表示態様が通常態様から特別態様に変化する、アクティブ保留予告演出が実行され」るものである。
　そして、引用発明における構成ｅ、ｈ、ｊ、ｋの「予告対象である変動表示中にプレゼントボックス」が「開封」されて、「プレゼント画像として」「表示される」「アクティブ保留予告画像（「変化」）」は、本件補正発明における構成Ｅの「特別表示」に相当する。
　また、引用発明における構成ｅ、ｈ、ｊ、ｋにおいて、「アクティブ保留予告演出の実行タイミング」が「リーチ前（擬似連１回目）ｔ１」の場合、「擬似連１回目と２回目の間」に「アクティブ保留予告演出」が実行されるものである。
　同様に、引用発明における構成ｅ、ｈ、ｊ、ｋにおいて、「アクティブ保留予告演出の実行タイミング」が「リーチ前（擬似連２回目）ｔ２」の場合、「擬似連２回目とリーチ成立の間、もしくは、擬似連２回目と３回目の間」に「アクティブ保留予告演出」が実行されるものである。
　したがって、引用発明の構成ｅ、ｈ、ｊ、ｋにおいて、「プレゼント画像として、アクティブ保留予告画像（「変化」）が表示され」た「後」に、「アクティブ保留予告演出が実行され」、さらに、その後に、「擬似連２回目」、もしくは、「擬似連３回目」の「再変動表示」が開始されることが可能である。
　ゆえに、引用発明における構成ｅ、ｈ、ｊ、ｋの「プレゼント演出を実行する、演出図柄の仮停止と再変動表示が行われる擬似連演出を伴う変動パターン」は、「プレゼント画像として、アクティブ保留予告画像（「変化」）が表示され」た「後」に、「擬似連２回目」、もしくは、「擬似連３回目」の「再変動表示」を開始されることが可能なパターンであるから、本件補正発明の構成Ｅの「特別表示を表示した後に再可変表示を実行する第２態様」に相当する。
　
　よって、引用発明における構成ｅ、ｈ、ｊ、ｋは、本件補正発明における構成Ｅに相当する。
　　
　　（ｇ）
　引用発明における構成ｇの「アクティブ保留予告演出における特別態様には、信頼度の異なる複数種類の特別態様が設けられ、変動パターンに応じていずれの特別態様に変化するかが決定され」ることは、本件補正発明における構成Ｇの「特定表示は、有利状態に制御される期待度に応じて変化可能であ」ることに相当する。
　次に、本件補正発明の構成Ｇの「当該変化のタイミングが所定可変表示の種類に応じて異な」ることの技術的意義について検討する。
　この点に関して、令和１年１１月１１日付け手続補正書の【０００７】に「・・・当該変化のタイミングが前記所定可変表示の種類に応じて異なり（例えば図２８に示す変動中表示予告設定処理におけるステップＳ１６３の処理にて、変動中表示エリア５Ｉでの表示態様を通常時における表示態様とは異なる表示態様に変化させる変動中表示予告タイミングが、大当り判定の有無に応じて決定された擬似連演出パターンに応じた決定割合で決定されること等）」と記載されていることから、本件補正発明の構成Ｇの「当該変化のタイミングが所定可変表示の種類に応じて異な」ることは、変動中表示予告タイミングが、擬似連演出パターンに応じた決定割合で決定されることを意味するものと解される。
　そうすると、引用発明における構成ｇの「アクティブ保留予告の実行タイミングは、ｔ１〜ｔ３に決定されるように構成され、大当り期待度の高い「擬似連３回スーパーリーチＢ」の変動パターンは、大当り期待度の低い「擬似連２回スーパーリーチＡ」の変動パターンよりも、遅いタイミング（ｔ３）に決定される割合が高」いことは、「アクティブ保留予告の実行タイミング」としての「ｔ１〜ｔ３」の決定割合が、「擬似連３回スーパーリーチＢ」と「擬似連２回スーパーリーチＡ」とで異なることであるから、本件補正発明における構成Ｇの「当該変化のタイミングが前記所定可変表示の種類に応じて異な」ることに相当する。
　したがって、引用発明の構成ｇは、本件補正発明の構成Ｇに相当する。
　
　　（ｈ）　引用発明における構成ｅ、ｈ、ｊ、ｋの「プレゼント演出は、予告対象となる変動表示が開始されるよりも前から複数の変動にわたって、プレゼントボックス画像５１４を常に予告対象の保留表示の真上に表示することで実行され、予告対象である変動表示中にプレゼントボックスを開封してプレゼントの中身の画像を表示する演出であ」る。
　ここで、引用発明の構成ｅ、ｈ、ｊ、ｋの「予告対象となる変動表示」、「プレゼントボックス画像５１４」は、それぞれ、本件補正発明の構成Ｈの「一の可変表示」、「特殊表示」に相当する。
　そうすると、引用発明の構成ｅ、ｈ、ｊ、ｋの「プレゼントボックス画像５１４を常に予告対象の保留表示の真上に表示する」ことと、本件補正発明の構成Ｈの「特殊表示を保留表示として表示」することとは、「特殊表示を保留表示に関連させて表示」することで共通する。
　また、引用発明の構成ｅ、ｈ、ｊ、ｋは、「予告対象である変動表示中にプレゼントボックスを開封してプレゼントの中身の画像を表示」し、「プレゼント画像として、アクティブ保留予告画像（「変化」）が表示されると、その後、アクティブ保留表示の表示態様が通常態様から特別態様に変化する」ものであるから、プレゼントボックスが開封する前の変動表示中に「プレゼントボックス画像５１４」が、「アクティブ保留表示」とともに表示されるものである。
　したがって、引用発明の構成ｅ、ｈ、ｊ、ｋは、「予告対象である変動表示中にプレゼントボックスを開封してプレゼントの中身の画像を表示」することと、本件補正発明の構成Ｈの「特殊表示を対応表示として表示」することとは、「特殊表示を対応表示に関連させて表示」することで共通する。
　よって、引用発明の構成ｅ、ｈ、ｊ、ｋの「予告対象となる変動表示が開始されるよりも前から複数の変動にわたって、プレゼントボックス画像５１４を常に予告対象の保留表示の真上に表示することで実行され、予告対象である変動表示中にプレゼントボックスを開封してプレゼントの中身の画像を表示する演出であ」る「プレゼント演出を実行する」ことと、本件補正発明の構成Ｈの「一の可変表示に対応する演出として、特殊表示を前記保留表示として表示した後、該特殊表示を前記対応表示として表示してから、該特殊表示の表示態様が変化することで前記有利状態に制御される期待度を示唆する演出を実行可能であ」ることとは、「一の可変表示に対応する演出として、特殊表示を保留表示に関連させて表示した後、該特殊表示を対応表示に関連させて表示演出を実行可能であ」ることで共通する。　
　
　　（ｉ）
　上記（ｅ）より、引用発明における構成ｅ、ｈ、ｊ、ｋの「プレゼント演出」として「アクティブ保留予告演出」を実行しない、演出図柄の仮停止と再変動表示が行われる擬似連演出を伴う変動パターン」は、本件補正発明の構成Ｅの「特定の組合せの識別情報を仮停止させた後に再可変表示を実行する第１態様」に相当し、また、引用発明における構成ｅ、ｈ、ｊ、ｋの「プレゼント演出を実行する、演出図柄の仮停止と再変動表示が行われる擬似連演出を伴う変動パターン」は、本件補正発明の構成Ｅの「特別表示を表示した後に再可変表示を実行する第２態様」に相当する。
　また、引用発明の構成ｅ、ｈ、ｊ、ｋにおいて、「アクティブ保留予告演出」は、「プレゼント演出」として実行されるものである。　そうすると、引用発明の構成ｉの「大当りとなることを予告するアクティブ保留予告演出は、実行されることによって有利にな」ることは、「プレゼント演出を実行する、演出図柄の仮停止と再変動表示が行われる擬似連演出を伴う変動パターン」が、「プレゼント演出を実行しない、演出図柄の仮停止と再変動表示が行われる擬似連演出を伴う変動パターン」よりも「大当りとなる」可能性が高く、「有利」であることを意味する。
　したがって、引用発明の構成ｉの「大当りとなることを予告するアクティブ保留予告演出は、実行されることによって有利にな」ることは、本件補正発明の構成Ｉの「第２態様の再可変表示は、第１態様の再可変表示より有利状態に制御される期待度が高」いことに相当する。
　
　　（ｊ）
　引用発明の「演出制御用ＣＰＵ１０１」は、構成ｃ１、ｃ２より、「アクティブ保留表示」の「表示」を制御するとともに、構成ｄより、「擬似連演出」の「表示」を「制御」するものである。
　そして、上記（ｃ１、ｃ２）より、引用発明の「アクティブ保留表示」は、本件補正発明の「特定表示」に相当し、上記（ｄ）より、引用発明の「擬似連演出」は、本件補正発明の構成Ｄの「所定可変表示」に相当する。
　また、引用発明の構成ｅ、ｈ、ｊ、ｋにおいて、「アクティブ保留表示の表示態様が通常態様から特別態様に変化する」演出が「アクティブ保留予告演出」である。
　さらに、引用発明の構成ｅ、ｈ、ｊ、ｋにおける「プレゼント演出を実行する、演出図柄の仮停止と再変動表示が行われる擬似連演出を伴う変動パターン」は、「アクティブ保留予告演出の実行タイミングは、擬似連１回目と２回目の間に設定された「リーチ前（擬似連１回目）ｔ１」、擬似連２回目とリーチ成立の間、もしくは、擬似連２回目と３回目の間に設定された「リーチ前（擬似連２回目）ｔ２」、リーチ成立と変動停止の間に設定された「リーチ後ｔ３」に決定され」とあるように、擬似連演出の実行中に「アクティブ保留予告演出」を実行可能とするものであるから、本件補正発明の構成Ｊの「所定可変表示が実行されているときに特定表示の表示態様を変化させることが可能であ」ることに相当する。
　したがって、引用発明におけの構成ｅ、ｈ、ｊ、ｋは、本件補正発明における構成Ｊに相当する。
　
　　（ｋ）
　引用発明の構成ｅ、ｈ、ｊ、ｋにおいて、「プレゼント演出」として「アクティブ保留予告演出」を「実行する、演出図柄の仮停止と再変動表示が行われる擬似連演出を伴う変動パターン」は、「プレゼント演出」として、「アクティブ保留表示の表示態様が通常態様から特別態様に変化する、アクティブ保留予告演出」が必ず実行されるものである。
　一方、引用発明の構成ｅ、ｈ、ｊ、ｋにおいて、「プレゼント演出」として「アクティブ保留予告演出」を「実行しない、演出図柄の仮停止と再変動表示が行われる擬似連演出を伴う変動パターン」は、「プレゼント演出」として、「アクティブ保留表示」を全く実行しないものである。
　そうすると、引用発明の構成ｅ、ｈ、ｊ、ｋにおいて、「プレゼント演出を実行する、演出図柄の仮停止と再変動表示が行われる擬似連演出を伴う変動パターン」は、「プレゼント演出を実行しない、演出図柄の仮停止と再変動表示が行われる擬似連演出を伴う変動パターン」よりも、「アクティブ保留表示の表示態様が通常態様から特別態様に変化する」「アクティブ保留予告演出」を実行する割合が高いことから、引用発明の構成ｅ、ｈ、ｊ、ｋは、本件補正発明の構成Ｋに相当する。　
　
　上記（ａ）〜（ｌ）によれば、本件補正発明と引用発明は、
「Ａ　識別情報の可変表示を行い、遊技者にとって有利な有利状態に制御可能な遊技機であって、
　Ｂ　可変表示を実行可能な可変表示手段と、
　Ｃ１　可変表示に対応する特定表示を行う特定表示手段と、
　を備え、
　Ｃ２　前記特定表示は、未だ開始されていない可変表示に関する表示である保留表示と、現在実行されている可変表示に関する表示である対応表示と、を含み、
　Ｄ　前記可変表示手段は、可変表示が開始されてから表示結果が導出表示されるまでに仮停止した後に再可変表示を所定回数実行する所定可変表示を実行可能であり、
　Ｅ　再可変表示の演出態様は、特定の組合せの識別情報を仮停止させた後に再可変表示を実行する第１態様と、特別表示を表示した後に再可変表示を実行する第２態様と、を含み、
　Ｇ　前記特定表示は、前記有利状態に制御される期待度に応じて変化可能であり、当該変化のタイミングが前記所定可変表示の種類に応じて異なり、
　Ｈ´　一の可変表示に対応する演出として、特殊表示を前記保留表示に関連させて表示した後、該特殊表示を前記対応表示に関連させて表示する演出を実行可能であり、
　Ｉ　前記第２態様の再可変表示は、前記第１態様の再可変表示より前記有利状態に制御される期待度が高く、
　Ｊ　前記特定表示手段は、前記所定可変表示が実行されているときに前記特定表示の表示態様を変化させることが可能であり、
　Ｋ　前記第２態様の再可変表示が実行されているときは、前記第１態様の再可変表示が実行されているときより前記特定表示の表示態様が変化する割合が高い、
　Ｌ　遊技機。」の点で一致し、次の点で相違する。
　
［相違点１］（構成Ｆ）
　本件補正発明は、第２態様の再可変表示において特別表示を表示する場合、識別情報の可変表示を通常態様よりも縮小させる縮小態様で表示させるのに対して、引用発明は、そのような構成を備えない点。
　
［相違点２］（構成Ｈ）
　一の可変表示に対応する、特殊表示を保留表示に関連させて表示した後に、該特殊表示を対応表示に関連させて表示する演出について、
本件補正発明は、特殊表示を保留表示として表示した後、該特殊表示を対応表示として表示してから、該特殊表示の表示態様が変化することで有利状態に制御される期待度を示唆する演出を実行可能であるのに対して、
　引用発明は、「予告対象となる変動表示が開始されるよりも前から複数の変動にわたって、プレゼントボックス画像５１４を常に予告対象の保留表示の真上に表示することで実行され、予告対象である変動表示中にプレゼントボックスを開封してプレゼントの中身の画像を表示する演出であ」る「プレゼント演出を実行」し、「プレゼント画像として、アクティブ保留予告画像（「変化」）が表示されると、その後、アクティブ保留表示の表示態様が通常態様から特別態様に変化する、アクティブ保留予告演出が実行され」るが、本件補正発明の備える構成を備えない点。
　
　（４）当審判合議体の判断
　　　ア　相違点１について
　上記相違点１について検討する。
　遊技機の技術分野において、擬似連遊技演出に対する興趣を向上させるために、再可変表示において特別表示を表示する場合、識別情報の可変表示を通常態様よりも縮小させる縮小態様で表示させることは、本願出願前に周知の技術事項である（例えば、原査定時に新たに提示された特開２０１５−５１２３１号公報の【０００８】、【０１６０】、【０４６２】、【図４１】（ｂ）には、再変動を示す「もういっちょ」という文字を表示する場合、全ての演出図柄３８を画面の隅の方に縮小表示させることが記載され、
同じく、原査定時に新たに提示された特開２０１２−２５４２０３号公報の【０００８】、【０４２１】、【０４２２】、【図４７】には、再変動表示中に背景を山の風景の背景画面に切り替え、演出図柄の変動表示を縮小表示させることが記載されている。以下「周知の技術事項１」という。）。
　そして、引用発明と上記周知の技術事項１とは、演出効果を向上させるという共通の課題を解決するものである。
　また、引用発明は、構成ｆ’の「擬似連３回の変動パターンの場合やアクティブ保留表示の表示態様が２段階変化しても整合性がとれるような期待度が高い場合にのみ、１つの予告対象の変動表示に対して複数のプレゼント演出を実行可能と」する構成を備えるものである。
　したがって、引用発明の構成ｆ’に上記周知の技術事項１を適用して、「プレゼント画像として、アクティブ保留予告画像（「変化」）が表示され」た後の「擬似連２回目」、もしくは、「擬似連３回目」の「再変動表示」において、再度、「プレゼント画像として、アクティブ保留予告画像（「変化」）」を表示する際に、演出図柄の可変表示を縮小態様で表示し、上記相違点に係る本件補正発明の構成とすることは、当業者が容易になし得たものである。
　
　　　イ　相違点２について
　引用発明の「プレゼント演出」における「プレゼントボックス画像」は、構成ｅ、ｈ、ｊ、ｋによると、「予告対象の保留表示」や、「予告対象となる」「アクティブ保留表示」とともに表示され、「プレゼント画像として、アクティブ保留予告画像（「変化」）が表示されると、その後、アクティブ保留表示の表示態様が通常態様から特別態様に変化する、アクティブ保留予告演出が実行され」るものである。
　ここで、引用発明の構成ｉより、「アクティブ保留予告演出は、実行されることによって」、「大当りとなる」可能性が高く、「有利」であることを意味するものである。
　そうすると、引用発明は、「アクティブ保留表示の表示態様が通常態様から特別態様に変化する」ことで、大当り期待度が高いことを示唆するものである。
　
　一方、遊技機の技術分野において、大当りへの期待感を複数回の可変表示に亘って持続させ、遊技の興趣を向上させるために、一の可変表示に対応する演出として、特殊表示を保留表示として表示した後、該特殊表示を対応表示として表示してから、該特殊表示の表示態様が変化することで有利状態に制御される期待度を示唆する演出を行うことは、本願出願前に周知の技術事項である（例えば、原査定時に新たに提示された特開２００４−３２１７１２号公報の【００２５】、【０１５７】、【０１５９】、【０１７０】に、始動記憶表示エリア１８および変動中始動記憶表示エリア１９において、円形の図柄による始動入賞表示や、星や手榴弾などの特別な図柄による特別始動入賞表示を行い、特別始動入賞表示を行う場合、変動中始動記憶表示エリア１９に表示されている「星」の表示態様を、リーチ状態に発展したときに「星」の周りに「炎」が現れる態様に変化させ、大当りの信頼度が相対的に低いことを示し、また、「手榴弾」の表示態様を、スーパーリーチ状態に発展したときに、「手榴弾」が爆発する態様に変化させ、大当りの信頼度が相対的に高いことを示すことが記載され、
　同じく、原査定時に新たに提示された特開２０１４−３６７０８号公報の【０８２１】、【０８２３】、【図１４５】に、
【図１４５】
第１特図保留表示領域２０８ｓ１に表示していた「千両箱」の保留アイコン１を特図変動中表示領域２０８ｓ０の方向に移動させ、特図変動中表示領域２０８ｓ０で保留アイコンと変動アイコンを同時に表示し、その後、「千両箱」を変動アイコン抽選で選択した「家紋」に変化させて、当該「家紋」を特図変動中表示領域２０８ｓ０に表示することが記載されている（以下「周知の技術事項２」という。）。
　そして、引用発明においても、演出効果を向上させることで、遊技の興趣を向上させるという自明の課題を解決するものである。
　したがって、引用発明と上記周知の技術事項２とは、遊技の興趣を向上させるという共通の課題を解決するものである。
　
　よって、引用発明に上記周知の技術事項２を適用して、「プレゼントボックス画像」を「予告対象の保留表示」や、「予告対象となる」「アクティブ保留表示」として表示し、上記相違点２に係る本件補正発明の構成とすることは、当業者が容易になし得たものである。
　
　　　ウ　請求人の主張について
　請求人は、令和１年１１月１１日付け審判請求書において、次の主張をしている。
「（１）本願発明の説明
（１−１）本願請求項１に係る発明は、下記の構成（ａ）、（ｂ）を備えています。
（ａ）「前記第２態様の再可変表示は、前記第１態様の再可変表示より前記有利状態に制御される期待度が高く、」という構成
（ｂ）「前記特定表示手段は、前記所定可変表示が実行されているときに前記特定表示の表示態様を変化させることが可能であり、前記第２態様の再可変表示が実行されているときは、前記第１態様の再可変表示が実行されているときより前記特定表示の表示態様が変化する割合が高い、」という構成
（１−２）本願請求項１に係る発明は、上記４．（１−１）の構成（ａ）、（ｂ）を備えることにより、遊技者に、第１態様と第２態様との何れの演出態様で再可変表示が実行されるかに注目させ、遊技興趣を向上させることができる、という顕著な効果を奏するものです。
　
（２）引用発明の説明
（２−１）引用文献２の段落［０３７９］には、「図４２（Ｄ）に示す予告演出実行タイミング決定テーブルにおいて特徴的なことは、表示結果がはずれよりも大当りである方が、また、同じ表示結果であっても変動パターンの期待度が高くなるほど、リーチ後（リーチ発展後）と判定される割合が高くなるように判定値が設定されていることである。」という記載があります。・・・　（３）本願発明と引用発明との対比（３−１）引用文献２−６には、本願請求項１に係る発明が備える上記４．（１−１）の構成（ａ）、（ｂ）が、開示も示唆もされていません。このため、引用文献２−６に記載された発明は、本願請求項１に係る発明とは異なり、上記４．（１−２）の効果を奏することができません。（３−２）具体的に、引用文献２には、上記４．（２−１）に示すように、表示結果がはずれよりも大当りである方が、アクティブ保留予告の実行タイミングがリーチ後と判定される割合が高くなる構成が記載されています。（３−３）しかしながら、引用文献２には、本願請求項１に係る発明が備える「再可変表示の演出態様は、特定の組合せの識別情報を仮停止させた後に再可変表示を実行する第１態様と、特別表示を表示した後に再可変表示を実行する第２態様と、を含み、」という構成が、開示も示唆もされていません。（３−４）当然、引用文献２には、上記４．（３−３）の構成の存在を前提とする、本願請求項１に係る発明が備える上記４．（１−１）の構成（ａ）、（ｂ）も、開示も示唆もされていません。」
　なお、請求人の主張中における（１−１）の構成（ａ）、（ｂ）は、それぞれ、本件補正発明の構成Ｉ、Ｊ〜Ｋに対応する。
　
　そこで、請求人の上記主張について検討する。
　　　（ア）上記（３−２）、（３−３）の主張について
　当審判合議体では、引用文献２の【０３７９】の「アクティブ保留予告は、ｔ５またはｔ６のタイミングに決定されるように構成されているが、図４３（Ａ），（Ｂ）に示すｔ１〜ｔ３のタイミングに決定されるようにしてもよい。ただし、この場合にも、・・・大当り期待度が高いほど、遅いタイミング（ｔ３）に決定される割合を高くすることが望ましい。」という記載に基づいて、引用発明の構成ｅ、ｈ、ｊ、ｋの認定を行った。
　そして、上記「（３）対比　（ｅ）」において検討したように、引用発明における構成ｅ、ｈ、ｊ、ｋの「プレゼント演出を実行しない、演出図柄の仮停止と再変動表示が行われる擬似連演出を伴う変動パターン」は、本件補正発明の構成Ｅの「特定の組合せの識別情報を仮停止させた後に再可変表示を実行する第１態様」に相当し、また、引用発明における構成ｅ、ｈ、ｊ、ｋの「プレゼント演出を実行する、演出図柄の仮停止と再変動表示が行われる擬似連演出を伴う変動パターン」は、本件補正発明の構成Ｅの「特別表示を表示した後に再可変表示を実行する第２態様」に相当する。
　したがって、引用発明は、本件補正発明の「第１態様」、「第２態様」に相当する構成を備えるものである。
　
　　　（イ）上記（３−４）の主張について
　上記「（３）対比　（ｉ）（ｊ）（ｋ）」において検討したように、引用発明の構成ｉ〜ｋは、本件補正発明の構成Ｉ〜Ｋに相当する。
　
　　　（ウ）本件補正発明の奏する効果について
　引用発明は、引用文献２の【００１０】に記載された「特定画像を用いた演出の演出効果を向上させることができる遊技機を提供する」ことを目的とするものであって、「特定画像」とは、同じく【００１１】に「特定画像（例えば、プレゼント画像）」と記載されているように、「プレゼント画像」のことである。
　そうすると、引用発明は、プレゼント画像を表示する擬似連の変動パターンと、プレゼント画像を表示しない擬似連の変動パターンを有するものであるから、プレゼント画像が表示されるか、あるいは、プレゼント画像が表示されずに、チャンス目で仮停止するのみであるかに遊技者を注目させることができ、演出効果を向上させるという効果を奏するものであって、本件補正発明の奏する「第１態様と第２態様との何れの演出態様で再可変表示が実行されるかに注目させ、遊技興趣を向上させることができる」という効果と同様の効果を奏するものである。
　
　　　（エ）小括
　上記（ア）〜（ウ）より、請求人の審判請求書における主張を採用することはできない。
　
　　　エ　進歩性の判断について、別の観点からの検討
　上記「（３）対比　（ｇ）」において、本件補正発明の構成Ｇの「当該変化のタイミングが所定可変表示の種類に応じて異な」ることを、変動中表示予告タイミングが、擬似連演出パターンに応じた決定割合で決定されることを意味するものと解して、引用発明の構成ｇと対比した。
　ここでは、仮に、本件補正発明の構成Ｇの「当該変化のタイミングが所定可変表示の種類に応じて異な」ることが、【図２８】（Ｃ）において、パターンがＧＥＢ、ＧＥＣなら、初回変動中、１回目の再可変表示中、２回目の再可変表示中、３回目の再可変表示中、の４つのタイミングから選択できるが、パターンがＧＥＡなら、初回変動中、１回目の再可変表示中、の２つのタイミングでしか選択できないことを意味しているとした場合について検討する。
　引用文献２には、【図４２】（Ｂ）に、「擬似連２回スーパーリーチＡはずれ（スーパーＰＡ３−１）」の場合、および、「擬似連２回スーパーリーチＡ大当り（スーパーＰＡ３−３）」の場合、「リーチ前（擬似連２回目）ｔ２」に、判定値が割り振られていないことが図示されている。
　また、引用文献２には、「プレゼント画像を複数表示する場合」についてではあるが、【０４０４】に、「同じ予告演出を実行すると整合性がとれなくなる虞がある。例えば、擬似連２回の変動パターンで擬似連予告が２回行われることになると、擬似連が３回まで継続すると勘違させてしまうことになる。」こと、すなわち、擬似連２回の変動パターンにおいて、２回目の再変動中にプレゼント演出を実行しないことが記載されている。
　これらのことからみて、「擬似連演出を伴う変動パターン」の「アクティブ保留予告演出の実行タイミング」を「ｔ１」、「ｔ２」、「ｔ３」とする引用発明の構成ｇの「擬似連２回スーパーリーチＡ」の変動パターンにおいて、擬似連が３回まで継続すると勘違させないために、ｔ２のタイミングでプレゼント演出としての「アクティブ保留予告演出」を実行しないようにして、本件補正発明の構成Ｇの「当該変化のタイミングが所定可変表示の種類に応じて異な」る構成とすることは当業者が容易になし得たものである。
　
　　　オ　小括
　本件補正発明により奏される効果は、当業者が、引用発明、および、上記周知の技術事項１、２から予測し得た効果の範囲内のものであって、格別なものではない。
　よって、本件補正発明は、引用発明、および、上記周知の技術事項１、２に基いて当業者が容易に発明をすることができたものであるから、特許法第２９条第２項の規定により、特許出願の際に独立して特許を受けることができないものである。
　
　（５）まとめ
　　上記（１）〜（４）より、本件補正発明は、特許法第２９条第２項の規定により、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
　１　本願発明
　本件補正は、上記のとおり却下されることとなったので、本願の請求項１に係る発明（以下「本願発明」という。）は、平成３１年４月２５日付け手続補正書の請求項１に記載された、次のとおりのものと認める。
「Ａ　識別情報の可変表示を行い、遊技者にとって有利な有利状態に制御可能な遊技機であって、
　Ｂ　可変表示を実行可能な可変表示手段と、
　Ｃ１　可変表示に対応する特定表示を行う特定表示手段と　を備え、
　Ｃ２　前記特定表示は、未だ開始されていない可変表示に関する表示である保留表示と、現在実行されている可変表示に関する表示である対応表示と、を含み、
　Ｄ　前記可変表示手段は、可変表示が開始されてから表示結果が導出表示されるまでに仮停止した後に再可変表示を所定回数実行する所定可変表示を実行可能であり、
　Ｅ　再可変表示の演出態様には、特定の組合せの識別情報を仮停止させた後に再可変表示を実行する第１態様と、特別表示を表示した後に再可変表示を実行する第２態様とが含まれ、
　Ｆ　前記第２態様の再可変表示において前記特別表示を表示する場合、識別情報の可変表示を通常態様よりも縮小させる縮小態様で表示し、
　Ｇ　前記特定表示は、遊技者にとって有利な有利状態に制御される期待度に応じて変化可能であり、当該変化のタイミングが前記所定可変表示の種類に応じて異なり、
　Ｈ　一の可変表示に対応する演出として、特殊表示を前記保留表示として表示した後、該特殊表示を前記対応表示として表示してから、該特殊表示の表示態様が変化することで前記有利状態に制御される期待度を示唆する演出を実行可能である、
　Ｌ　ことを特徴とする遊技機。」
　　　
　２　原査定の拒絶の理由
　（進歩性）この出願の下記の請求項１、２に係る発明は、その出願前に日本国内又は外国において、電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　＜引用文献等一覧＞
　　　　２．特開２０１５−７３６９３号公報
　
　３　引用文献に記載された事項
　原査定の拒絶の理由に引用文献として引用された引用文献２の記載事項、および、引用発明の認定については、前記「第２［理由］　２　２−２（２）引用発明」に記載したとおりである。
　
　４　対比・判断
　本願発明は、前記「第２［理由］　２　２−２（１）」で検討した本件補正発明から、構成Ｉ〜Ｋの限定を省くものである。
　そうすると、本件補正発明は本願発明の特定事項をすべて含み、さらに他の構成を付加したものであって、本願発明と引用発明とを対比したときの相違点は、前記「第２［理由］　２　２−２（３）対比」における検討内容からみて、前記相違点１、２で相違し、その余の点において一致する。
　そして、前記相違点についての判断は、前記「第２［理由］　２　２−２（４）当審判合議体の判断　ア　相違点について」における検討内容と同様である。
　よって、本願発明は、引用発明に上記周知の技術事項１、２を適用することにより、当業者が容易になし得たものである。
　
　５　むすび
　上記１〜４より、本願発明は、特許法第２９条第２項の規定により特許を受けることができない。
　したがって、本願は拒絶すべきものである。
　よって、結論のとおり審決する。